(57)【特許請求の範囲】
【請求項１】
前面にボタン部材装着凹部（１１）が形成された容器本体（１０）と、前記容器本体（１０））の一側にヒンジ結合されて開閉される容器蓋（２０）と、前記容器本体（１０）の内側に装着され、内部に化粧料が収容される内容器部材（３０）と、前記容器本体（１０）のボタン部材装着凹部（１１）に装着されるボタン部材（４０）と、前記容器本体（１０）の内周縁に固定結合され、内容器部材（３０）及びボタン部材（４０）を固定させる固定部材（５０）とを含んでなるコンパクト容器であって、
前記容器本体（１０）のボタン部材装着凹部（１１）は上部が開放された形状であり、前記ボタン部材装着凹部（１１）に隣接して容器本体（１０）の内側面にボタン部材支持台（１２）及び結合突起（１４）が形成され、
前記ボタン部材（４０）の両側には結合凹部（４４）を有するボタン部材翼部（４２）が延設され、前記ボタン部材（４０）の結合凹部（４４）が容器本体（１０）の結合突起（１４）に結合され、
前記ボタン部材（４０）の結合凹部（４４）が前記容器本体（１０）の結合突起（１４）に結合された状態でボタン部材（４０）を加圧するとき、ボタン部材翼部（４２）が左右側にさらに広がることができるように、前記結合凹部（４４）の幅が結合突起（１４）の幅よりも広く形成されることを特徴とする、組み立てが簡単なボタン部材を有するコンパクト容器。
【請求項２】
前記容器本体（１０）のボタン部材支持台（１２）の内側にはガイド凹部（１３）が形成され、該ガイド凹部（１３）にボタン部材（４０）のボタン部材翼部（４２）が垂直に挿し込まれることを特徴とする、請求項１に記載の組み立てが簡単なボタン部材を有するコンパクト容器。
【請求項３】
前記ボタン部材（４０）のボタン部材翼部（４２）の外側下稜部（４６）はラウンド状に形成されることを特徴とする、請求項１に記載の組み立てが簡単なボタン部材を有するコンパクト容器。
【請求項４】
前記容器本体（１０）の結合突起（１４）は、上面（１４２）は傾くように、下端面（１４４）は角張るように形成されることを特徴とする、請求項１に記載の組み立てが簡単なボタン部材を有するコンパクト容器。
【発明の詳細な説明】
【技術分野】
【０００１】
本発明は、組み立てが簡単なボタン部材を有するコンパクト容器に係り、さらに詳しくは、前面にボタン部材が取り付けられた容器本体と、前記容器本体の後面にヒンジ結合される容器蓋体と、内容物が収容されて前記容器本体の内側に装着される内容器部材と、前記内容器部材及びボタン部材を固定させ、前記容器本体の内周縁に固定結合される固定部材とを含んでなるコンパクト容器であって、前記容器本体の前面にはボタン部材が装着されるボタン部材装着溝が形成されてボタン部材が固定結合されるが、前記ボタン部材装着溝は上部が開放された形状であり、前記ボタン部材装着溝に隣接して容器本体の内側面にボタン部材支持台と嵌合突起が形成されて前記ボタン部材の両側には嵌合溝を有するボタン部材翼部が延設されることにより、前記ボタン部材装着溝にボタン部材を組み立てるとき、前記ボタン部材のボタン部材翼部がボタン部材支持台の内側のガイド溝に垂直に挿し込まれることにより簡単に組み立てることができ、また、前記ボタン部材のボタン部材翼部に形成された前記嵌合溝が嵌合突起に嵌合されることにより、ボタン部材を組み立てた後に前記固定部材を組み立てるとき、衝撃や干渉によりボタン部材が容器本体から離脱することを防止する、組み立てが簡単なボタン部材を有するコンパクト容器に関する。
【背景技術】
【０００２】
化粧とは、身体の美しい部分を引き立つようにするだけでなく、身体の弱点を修正するためのものであって、女性は、より美しく飾るための手段の一つとして顔に化粧をする。
【０００３】
特に、スキンケアおよび美しさのために、基礎化粧だけでなく、色調化粧をするが、色調化粧の場合、化粧用コンパクトが広く使われている。
【０００４】
一般に、コンパクト容器は、容器本体と容器蓋体とがヒンジで連結されたもので、容器本体には、固形パウダー、リップグロス、アイシャドウなどの化粧品化粧料を入れる内部容器が形成され、前記内部容器内の化粧料が汚染されることを防止するために内部容器の上端に容器蓋体が化粧料を覆っており、前記容器蓋体の内部には化粧の便宜のために鏡が備えられている。
【０００５】
前記コンパクト容器に関連した従来技術としては、図１に示すように韓国登録実用新案第２０−０１７１４４８号に開示されているものがある。これは、コンパクト容器に関するもので、具体的には、容器本体と容器蓋体とがヒンジで連結されており、前記容器本体には固定部材が内蔵されており、前記固定部材には化粧料が収容されており、前記容器本体と固定部材との間にはボタン部材が装着されたコンパクトに関するものである。
【０００６】
前記従来技術は、ボタン部材が容器本体の内側上部から埋め込まれて組み立てられたもので、コンパクト容器の組み立てが容易なコンパクトである。
【０００７】
しかし、前記従来技術は、ボタン部材を単に容器本体の内側に埋め込んだ状態で固定部材を覆い被せて容器本体に組み立てるもので、固定部材の組み立て過程でボタン部材が離脱して不良率が高く、生産性に劣るという問題点があった。
【０００８】
かかる問題点を解決するために、図２に示すような韓国登録特許第１０−１４２４５９１号が開示されているが、これは、コンパクト容器の内部に固定部材が組み立てられ、前記固定部材内に化粧料入りの内部容器が内蔵され、コンパクト容器と固定部材との間にはボタンホールの周囲に固定突起が形成されてボタン部材が設置されるが、コンパクト容器の前面にボタンホールが形成されて前記ボタンホールにボタン部材が挿し込まれると同時に、固定突起にも係止されて離脱しないように構成されたコンパクト容器である。
【０００９】
前記従来技術は、ボタン部材をコンパクト容器のボタンホールと固定突起に挿入された後、固定部材を組み立てる構造であるため、ボタン部材が分離されることを防止することができるコンパクト容器である。
【００１０】
ところが、前記従来技術は、ボタン部材をコンパクト容器と組み立てるとき、コンパクト容器の固定突起に係合すると同時にボタンホールに挿し込まなければならないので、ボタン部材の組み立てが難しいという問題点があった。
【発明の概要】
【発明が解決しようとする課題】
【００１１】
本発明は、前述したような問題点を解決するために案出されたもので、その目的は、前面にボタン部材が装着された容器本体と、前記容器本体の後面にヒンジ結合される容器蓋体と、内容物が収容されて前記容器本体の内側に装着される内容器部材と、前記内容器部材及びボタン部材を固定させて前記容器本体の内周縁に固定結合される固定部材とを含んでなるコンパクト容器であって、前記容器本体の前面にはボタン部材が装着されるボタン部材装着溝が形成されてボタン部材が固定結合されるが、前記ボタン部材装着溝は上部が開放された形状であり、前記ボタン部材装着溝に隣接して容器本体の内側面にボタン部材支持台と嵌合突起が形成され、前記ボタン部材の両側には嵌合溝を有するボタン部材翼部が延設されることにより、前記ボタン部材装着溝にボタン部材を組み立てるとき、前記ボタン部材のボタン部材翼部がボタン部材支持台の内側のガイド溝に垂直に挿入されることにより簡単に組み立てることができ、また、前記ボタン部材のボタン部材翼部に形成された前記嵌合溝が嵌合突起に嵌合されることにより、ボタン部材を組み立てた後に前記固定部材を組み立てるとき、衝撃や干渉によりボタン部材が容器本体から離脱することを防止する、組み立てが簡単なボタン部材を有するコンパクト容器を提供することにある。
【００１２】
本発明の他の目的は、前記ボタン部材翼部に形成された嵌合溝が前記嵌合突起に嵌合された状態で外側へ移動することができるように前記嵌合溝の幅を嵌合突起の幅よりも広く形成することにより、前記ボタン部材を加圧すると、前記ボタン部材翼部が広がりながら嵌合溝が嵌合突起に嵌合されたまま外側へ押されて水平移動し、前記ボタン部材が上下遊動なしに前後移動だけするように構成された、組み立てが簡単なボタン部材を有するコンパクト容器を提供することにある。
【００１３】
本発明の別の目的は、前記ボタン部材翼部の外側下隅を丸く形成し、前記容器本体に形成された嵌合突起の上面は傾くように、下端面は角張るように形成することにより、前記ボタン部材をボタン部材装着溝に組み立てるとき、前記ボタン部材翼部の丸い下隅が嵌合突起の傾斜上面を滑らかに乗り越えて前記嵌合溝が嵌合突起に容易に嵌合され、嵌合溝が嵌合突起に嵌合されると、前記嵌合突起の角張った下端面によって嵌合溝が嵌合突起から離脱しないためボタン部が強固に結合される、組み立てが簡単なボタン部材を有するコンパクト容器を提供することにある。
【課題を解決するための手段】
【００１４】
本発明は、前面にボタン部材装着溝１１が形成された容器本体１０と、前記容器本体１０の一側にヒンジ結合されて開閉される容器蓋体２０と、前記容器本体１０の内側に装着され、内部に化粧料が収容される内容器部材３０と、前記容器本体１０のボタン部材装着溝１１に装着されるボタン部材４０と、前記容器本体１０の内周縁に固定結合され、内容器部材３０及びボタン部材４０を固定させる固定部材５０とを含んでなるコンパクト容器であって、
前記容器本体１０のボタン部材装着溝１１は上部が開放された形状であり、前記ボタン部材装着溝１１に隣接して容器本体１０の内側面にボタン部材支持台１２及び嵌合突起１４が形成され、
前記ボタン部材４０の両側には嵌合溝４４を有するボタン部材翼部４２が延設され、前記ボタン部材４０の嵌合溝４４が容器本体１０の嵌合突起１４に嵌合されることを特徴とする、組み立てが簡単なボタン部材を有するコンパクト容器を提供する。
【００１５】
また、前記容器本体１０のボタン部材支持台１２の内側にはガイド溝１３が形成され、前記ガイド溝１３にボタン部材４０のボタン部材翼部４２が垂直に挿し込まれることを特徴とする。
【００１６】
また、前記ボタン部材４０の嵌合溝４４が前記容器本体１０の嵌合突起１４に嵌合された状態でボタン部材４０を加圧するとき、ボタン部材翼部４２が左右側にさらに広がることができるように、前記嵌合溝４４の幅が嵌合突起１４の幅よりも広く形成されることを特徴とする。
【００１７】
また、前記ボタン部材４０のボタン部材翼部４２の外側下隅４６はラウンド状に形成されることを特徴とする。
【００１８】
また、前記容器本体１０の嵌合突起１４は、上面１４２は傾くように、下端面１４４は角張るように形成されることを特徴とする。
【００１９】
また、前記内容器部材３０は、内容器３１と、前記内容器の上部に結合されるポンプ支持台３２と、前記ポンプ支持台３２の中央上部に設置されるポンプ３３と、前記ポンプ３３の上部に結合される分配板３４と、前記分配板３４の上部に結合されるリングボタン３５と、前記分配板３４の上部に結合される排出板３６とから構成されることを特徴とする。
【発明の効果】
【００２０】
本発明は、前面にボタン部材が装着された容器本体と、前記容器本体の後面にヒンジ結合される容器蓋体と、内容物が収容され、前記容器本体の内側に装着される内容器部材と、前記内容器部材及びボタン部材を固定させ、前記容器本体の内周縁に固定結合される固定部材とを含んでなるコンパクト容器であって、前記容器本体の前面にはボタン部材が装着されるボタン部材装着溝が形成されてボタン部材が固定結合されるが、前記ボタン部材装着溝は上部が開放された形状であり、前記ボタン部材装着溝に隣接して容器本体の内側面にボタン部材支持台と嵌合突起が形成され、前記ボタン部材の両側には嵌合溝を有するボタン部材翼部が延設されることにより、前記ボタン部材装着溝にボタン部材を組み立てるとき、前記ボタン部材のボタン部材翼部がボタン部材支持台の内側のガイド溝に垂直に挿し込まれることにより簡単に組み立てることができ、また、前記ボタン部材のボタン部材翼部に形成された前記嵌合溝が嵌合突起に嵌合されることにより、ボタン部材を組み立てた後に前記固定部材を組み立てるとき、衝撃や干渉によりボタン部材が容器本体から離脱することを防止する、組み立てが簡単なボタン部材を有するコンパクト容器を提供する効果がある。
【００２１】
また、本発明は、前記ボタン部材翼部に形成された嵌合溝が前記嵌合突起に嵌合された状態で外側へ移動することができるように前記嵌合溝の幅を嵌合突起の幅よりも広く形成することにより、前記ボタン部材を加圧すると、前記ボタン部材翼部が広がりながら嵌合溝が嵌合突起に嵌合されたまま外側へ押されて水平移動し、前記ボタン部材が上下遊動なしに前後移動だけするように構成された、組み立てが簡単なボタン部材を有するコンパクト容器を提供する効果がある。
【００２２】
また、本発明は、前記ボタン部材翼部の外側下隅を丸く形成し、前記容器本体に形成された嵌合突起の上面は傾くように、下端面は角張るように形成することにより、前記ボタン部材をボタン部材装着溝に組み立てるとき、前記ボタン部材翼部の丸い下隅が嵌合突起の傾斜上面を滑らかに乗り越えて前記嵌合溝が嵌合突起に容易に嵌合され、嵌合溝が嵌合突起に嵌合されると、前記嵌合突起の角張った下端面によって嵌合溝が嵌合突起から離脱しないためボタン部が強固に結合される、組み立てが簡単なボタン部材を有するコンパクト容器を提供する効果がある。
【図面の簡単な説明】
【００２３】
【図１】従来の容器本体と固定部材との間にボタン部材が装着されたコンパクト容器を示す図である。
【図２】従来のボタンホールにボタン部材が挿着されるコンパクト容器を示す図である。
【図３】本発明に係る組み立てが簡単なボタン部材を有するコンパクト容器の斜視図である。
【図４】本発明に係る組み立てが簡単なボタン部材を有するコンパクト容器の分解斜視図である。
【図５】本発明に係る組み立てが簡単なボタン部材を有するコンパクト容器のＡ−Ａ線に沿った断面図である。
【図６】本発明に係る組み立てが簡単なボタン部材を有するコンパクト容器の容器蓋体が開放されたＡ−Ａ線に沿った断面図である。
【図７】本発明に係る組み立てが簡単なボタン部材を有するコンパクト容器の容器本体、容器蓋体及びボタン部材を示す斜視図である。
【図８】本発明に係る組み立てが簡単なボタン部材を有するコンパクト容器のボタン部材が垂直に装着される様子を示すＢ−Ｂ線に沿った断面図である。
【図９】本発明に係る組み立てが簡単なボタン部材を有するコンパクト容器のボタン部材が容器本体に装着された様子を示すＢ−Ｂ線に沿った断面図である。
【図１０】本発明に係る組み立てが簡単なボタン部材を有するコンパクト容器の容器本体、容器蓋体及びボタン部材を示す平面図である。
【図１１】本発明に係る組み立てが簡単なボタン部材を有するコンパクト容器のボタン部材が加圧される様子を示す平面図である。
【発明を実施するための形態】
【００２４】
以下、本発明に係る組み立てが簡単なボタン部材を有するコンパクト容器の実施形態を、添付図面を参照して説明する。
【００２５】
図３は本発明に係る組み立てが簡単なボタン部材を有するコンパクト容器の斜視図、図４は本発明に係る組み立てが簡単なボタン部材を有するコンパクト容器の分解斜視図、図５は本発明に係る組み立てが簡単なボタン部材を有するコンパクト容器のＡ−Ａ線に沿った断面図、図６は本発明に係る組み立てが簡単なボタン部材を有するコンパクト容器の容器蓋が開放されたＡ−Ａ線に沿った断面図である。
【００２６】
本発明に係る組み立てが簡単なボタン部材を有するコンパクト容器は、前面にボタン部材装着溝１１が形成された容器本体１０と、前記容器本体１０の一側にヒンジ結合されて開閉される容器蓋体２０と、前記容器本体１０の内側に装着され、内部に化粧料が収容される内容器部材３０と、前記容器本体１０のボタン部材装着溝１１に装着されるボタン部材４０と、前記容器本体１０の内周縁に固定結合され、内容器部材３０及びボタン部材４０を固定させる固定部材５０とを含んでなるコンパクト容器であって、前記容器本体１０のボタン部材装着溝１１は上部が開放された形状であり、前記ボタン部材装着溝１１に隣接して容器本体１０の内側面にボタン部材支持台１２及び嵌合突起１４が形成され、前記ボタン部材４０の両側には嵌合溝４４を有するボタン部材翼部４２が延設され、前記ボタン部材４０の嵌合溝４４が容器本体１０の嵌合突起１４に嵌合されることを特徴とする。
【００２７】
前記容器本体１０の内部には、内容器部材３０を収容する内容器部材収容空間１５が形成されており、内側面には装着突起１６が形成される。
【００２８】
前記容器本体１０の一側には、上部が開放された形状のボタン部材装着溝１１が形成される。
【００２９】
前記容器本体１０のボタン部材装着溝１１に隣接して容器本体１０の内側面にボタン部材支持台１２と嵌合突起１４が形成される。
【００３０】
前記ボタン部材支持台１２の内側にはガイド溝１３が形成され、前記ガイド溝１３にボタン部材４０のボタン部材翼部４２が垂直に挿し込まれる。
【００３１】
前記嵌合突起１４は、上面１４２は傾くように、下端面１４４は角張るように形成される。
【００３２】
前記ボタン部材４０の上部には係止突起４１が形成され、両側には嵌合溝４４を有するボタン部材翼部４２が延設されることにより、前記ボタン部材４０の嵌合溝４４が容器本体１０の嵌合突起１４に嵌合される。
【００３３】
すなわち、前記容器本体１０のボタン部材装着溝１１にボタン部材４０を組み立てるとき、前記ボタン部材４０のボタン部材翼部４２が、ボタン部材支持台１２の内側に形成されたガイド溝１３に垂直に挿し込まれて簡単に組み立てられ得る。
【００３４】
また、前記ボタン部材４０のボタン部材翼部４２に形成された嵌合溝４４が容器本体１０の嵌合突起１４に嵌合されるので、ボタン部材４０を組み立てた後に前記固定部材５０を組み立てるとき、衝撃や干渉により前記ボタン部材４０が容器本体１０から離脱することを防止することができる。
【００３５】
前記ボタン部材４０の嵌合溝４４が前記容器本体１０の嵌合突起１４に嵌合された状態でボタン部材４０を加圧するとき、ボタン部材翼部４２が左右側にさらに広がることができるように前記嵌合溝４４の幅が嵌合突起１４の幅よりも広く形成される。
【００３６】
すなわち、前記ボタン部材４０を加圧すると、ボタン部材翼部４２が左右側に広がりながら嵌合溝４４が嵌合突起１４に嵌合されたまま左右側に押されて水平移動するので、前記ボタン部材４０が上下遊動なしに前後移動だけするのである。
【００３７】
前記ボタン部材４０のボタン部材翼部４２の外側下隅４６は、ラウンド状に丸く形成される。
【００３８】
すなわち、前記ボタン部材翼部４２の外側下隅４６をラウンド状に丸く形成し、前記容器本体１０の嵌合突起１４の上面１４２は傾くように、下端面１４４は角張るように形成することにより、前記ボタン部材４０をボタン部材装着溝１１に組み立てるとき、ボタン部材翼部４２の丸い下隅４６が嵌合突起１４の傾いた上面１４２を滑らかに乗り越えて前記嵌合溝４４が嵌合突起１４に容易に嵌合され、嵌合溝４４が嵌合突起１４に嵌合されると、前記嵌合突起１４の角張った下端面１４４によって嵌合溝４４が嵌合突起１４から離脱しなくなるのである。
【００３９】
前記容器蓋体２０は容器本体１０を開閉し、容器蓋体２０の一側には前記容器本体１０のボタン部材装着溝１１に対応する位置に突起形状のフック２１が形成され、該フックがボタン部材４０の係止突起４１に締結される。
【００４０】
また、前記容器蓋体２０の内側には、ユーザーが容易に化粧をすることができるように鏡２２が備えられている。
【００４１】
前記内容器部材３０は、内容器３１と、前記内容器の上部に結合されるポンプ支持台３２と、前記ポンプ支持台３２の中央上部に設置されるポンプ３３と、前記ポンプ３３の上部に結合される分配板３４と、前記分配板３４の上部に結合されるリングボタン３５と、前記分配板３４の上部に結合される排出板３６とから構成される。
【００４２】
前記内容器３１の内側には、内容物を上部に押し上げる押し板３１１が形成され、前記押し板３１１は、内容器３１の内側面に密着する。
【００４３】
前記内容器３１は、底面３１２と、前記底面３１２から上部に延設された内壁３１３と、前記内壁３１３から外側に一定間隔離隔して形成された外壁３１４とから構成される。
【００４４】
前記内容器３１は、容器本体１０の内容器部材収容空間１５に挿入され、内容器３１の外壁３１４の内周縁には締結溝３１５が形成される。
【００４５】
前記内容器３１の底面３１２には、外部空気の流入する空気流通ホール３１６が形成される。
【００４６】
前記ポンプ支持台３２は、板状に形成され、前記内容器３１の上部に結合されて内容器３１を密閉させる。
【００４７】
前記ポンプ支持台３２の中央にはシリンダー３３１が一体に形成され、前記シリンダー３３１の外側にはポンプ３３のブッシング３３３が結合されるブッシング嵌合溝３２１が形成され、前記ポンプ支持台３２の外側には下部延長突輪３２２が下側に延設される。
【００４８】
前記ポンプ支持台３２の下部延長突輪３２２の外周縁には締結突起３２３が形成されて前記内容器３１の締結溝３１５と結合され、前記締結突起３２３の上側には段差部３２４が突設される。
【００４９】
前記ポンプ３３は、ポンプ支持台３２の中央上側に形成され、底面に内容物吸入孔３３８を有するシリンダー３３１と、前記シリンダー３３１の底面に装着されて前記内容物吸入孔３３８を選択的に開閉する吸入弁板３３２と、前記シリンダー３３１の上端にのせられるように前記シリンダー３３１の外側に結合されたブッシング３３３と、前記シリンダー３３１の内側に形成されるピストン３３４と、前記ピストン３３５の外側に嵌められて前記シリンダー３３１の内側面に密着するピストンリング３３５と、前記ピストン３３４の上部に結合されて上下移動する上下移動部材３３６と、前記上下移動部材３３６を弾支する弾性部材３３７とから構成される。
【００５０】
前記上下移動部材３３６の中央下側には、前記ピストン３３４に結合される内側延長突輪３３６ａが延設され、前記内側延長突輪３３６ａの外側に一定間隔離隔して前記ピストンリング３３５の外側に嵌められる外側延長突輪３３６ｂが延設される。
【００５１】
また、前記上下移動部材３３６の中央上側には、分配板３４が結合される上部延長突輪３３６ｃが延設される。
【００５２】
前記上下移動部材３３６の内側延長突輪３３６ａと外側延長突輪３３６ｂとの間には、ポンピングされた内容物が通過する多数の排出通路３３６ｄが形成される。
【００５３】
前記ピストンリング３３５は、上部が外側に広がっており、前記ピストンリング３３５の上部外周縁には密着突輪３３５ａが突設され、前記密着突輪３３５ａの下側には前記シリンダー３３１の内側壁に密着するピストン翼３３５ｂが形成される。
【００５４】
前記ブッシング３３３の中央には、前記上下移動部材３３６の外側延長突輪３３６ｂが貫く貫通孔３３３ａが形成され、前記貫通孔３３３ａの内側には、内側水平延長片３３３ｂが延設され、前記貫通孔３３３ａの外側には、多数の弾性部材装着部３３３ｃが形成され、前記弾性部材装着部３３３ｃの外側には、前記ポンプ支持台３２に挿し込まれる外側水平延長片３３３ｄが形成される。
【００５５】
前記ブッシング３３３の内側水平延長片３３３ｂの内側端部は、ラウンド状に形成されることが好ましい。
【００５６】
前記ブッシング３３３の内側水平延長片３３３ｂと前記上下移動部材３３６の外側延長突輪３３６ｂとの間には、前記上下移動部材３３６がブッシング３３３内で遊動的に動くことができるように０．３ｍｍ乃至１．２ｍｍの隙間３９が形成されている。
【００５７】
すなわち、前記ピストンリング３３５の上部は、外側に広がっており、密着突輪３３５ａが形成されているため、前記上下移動部材３３６の外側延長突輪３３６ｂの内側に密着して挿し込まれ、前記ピストンリング３３５の下部は、ピストン翼３３５ｂが形成されているため、前記シリンダー３３１の内側面に密着されるので、前記上下移動部材３３６が一方に傾いた状態で加圧されても前記ピストンリング３３５によってシリンダー３３１の内部が密閉されてポンプ３３が正常に作動するのである。
【００５８】
したがって、ユーザーが排出板３６の中心部を垂直に加圧せず、中心部から外れた部分を加圧することにより、前記上下移動部材３３６が傾いても前記ピストンリング３３５がシリンダー３３１の内部で正常に作動して内容物が容易にポンピングされるのである。
【００５９】
前記分配板３４は、上部面に内容物の移動する内容物排出経路３４２が形成され、中央には前記上下移動部材３３６の上部延長突輪３３６ｃが挿入される結合ホール３４３が形成される。
【００６０】
前記リングボタン３５は、分配板３４の上部に安着され、一側には加圧部３５１が上方に突設され、前記加圧部３５１の反対側の外側には軸突起３５２が形成される。
【００６１】
前記分配板３４の上側には排出板３６が形成されるが、前記排出板３６は、分配板３４の上面に安着されるとともに前記リングボタン３５の上部に安着され、多数の排出孔３６１が形成されている。
【００６２】
前記各排出孔３６１の下側には、前記分配板６０の内容物排出経路３４２に安着される排出突輪３６２が延設されているが、前記排出突輪３６２は、内容物が通過することができるように外周縁の一側が開放されている。
【００６３】
前記排出板３６は、分配板３４の上部面に二重接着テープによって接着されることが好ましい。
【００６４】
前記内容器部材３０の上部には、内容器部材３０とボタン部材４０が離脱しないように固定させる固定部材５０がさらに形成される。
【００６５】
前記固定部材５０の外周縁には装着溝５１が形成され、前記容器本体１０の装着突起１６と結合される。
【００６６】
前記固定部材５０の下端は、ポンプ支持台３２の段差部３２４の上部面を押して固定させ、外周縁の一側には軸結合溝５２が形成され、該軸結合溝に前記リングボタン３５の軸突起３５２が挿入される。
【００６７】
次に、上述のように構成された組み立てが簡単なボタン部材を有するコンパクト容器の組み立て方法を説明する。
【００６８】
図７は本発明に係る組み立てが簡単なボタン部材を有するコンパクト容器の容器本体、容器蓋体及びボタン部材を示す斜視図であり、図８は本発明に係る組み立てが簡単なボタン部材を有するコンパクト容器のボタン部材が垂直に装着される様子を示すＢ−Ｂ線に沿った断面図であり、図９は本発明に係る組み立てが簡単なボタン部材を有するコンパクト容器のボタン部材が容器本体に装着された様子を示すＢ−Ｂ線に沿った断面図である。
【００６９】
本発明に係る組み立てが簡単なボタン部材を有するコンパクト容器を組み立てるためには、まず、図７に示すように、容器本体１０のボタン部材装着溝１１にボタン部材４０を装着するが、前記容器本体１０のボタン部材支持台１２の内側に形成されたガイド溝１３にボタン部材４０のボタン部材翼部４２を垂直に挿し込む。
【００７０】
このとき、前記ボタン部材４０の嵌合溝４４が容器本体１０の嵌合突起１４に嵌合されるが、図８に示すように、ボタン部材翼部４２の丸い下隅４６が嵌合突起１４の傾いた上面１４２を滑らかに乗り越えて前記嵌合溝４４が嵌合突起１４に容易に嵌合され、図９に示すように、嵌合溝４４が嵌合突起１４に嵌合されると、前記嵌合突起１４の角張った下端面１４４によって嵌合溝４４が嵌合突起１４から離脱しなくなる。
【００７１】
次に、図４及び図５に示すように内容器部材３０を組み立てるが、内容器３１の内部に押し板３１１を挿し込み、化粧料を注入し、前記内容器３１の上部にポンプ支持台３２を結合させた後、前記ポンプ支持台３２の上部にポンプ３３を設置し、前記ポンプ３３の上下移動部材３３６の上部に分配板３４を結合し、前記分配板３４の上部にリングボタン３５を装着した後、排出板３６をリングボタン３５の上部に安着させるとともに分配板３４の上部面に安着させる。
【００７２】
次に、上述のように組み立てられた内容器部材３０を、一側に容器蓋体２０がヒンジ結合された容器本体１０の内部に挿入する。
【００７３】
最後に、前記内容器部材３０の上部に固定部材５０を結合するが、前記固定部材５０の装着溝５１に容器本体１０の装着突起１６が結合されるようにし、軸結合溝５２にリングボタン３５の軸突起３５２が嵌め込まれるようにして、本発明に係る組み立てが簡単なボタン部材を有するコンパクト容器の組み立てを完了する。
【００７４】
以下、前述のような方法で組み立てられた、組み立てが簡単なボタン部材を有するコンパクト容器の使用方法について説明する。
【００７５】
図１０は本発明に係る組み立てが簡単なボタン部材を有するコンパクト容器の容器本体、容器蓋体及びボタン部材を示す平面図であり、図１１は本発明に係る組み立てが簡単なボタン部材を有するコンパクト容器のボタン部材が加圧される様子を示す平面図である。
【００７６】
本発明に係る組み立てが簡単なボタン部材を有するコンパクト容器を使用するためには、まず、ボタン部材４０を加圧して容器本体１０から容器蓋体２０を開放する。
【００７７】
その際、前記ボタン部材４０のボタン部材翼部４２が左右側に広がりながら嵌合溝４４が嵌合突起１４に嵌合されたまま左右側に押されて水平移動するので、前記ボタン部材４０が上下遊動なしに前後移動だけをする。
【００７８】
次いで、リングボタン３５の加圧部３５１または排出板３６の上部面を加圧する。
【００７９】
前記加圧部３５１が加圧されると、リングボタン３５が傾きながら下方に移動し、前記リングボタン３５の下側に装着された分配板３４も一緒に下方に移動する。
【００８０】
そして、前記排出板３６を直接加圧するときには、前記排出板３６に結合された分配板３４が加圧されて一緒に下方に移動し、前記分配板３４に結合されたポンプ３３の上下移動部材３３６が下方に移動する。
【００８１】
前記上下移動部材３３６の下方移動によって、上下移動部材３３６の下側に結合されているピストン３３４も一緒に下方に移動する。そのとき、ピストンリング３３５はシリンダー３３１の内側面に密着しているので、前記ピストン３３４のみ下方に移動しながら、ピストン３３４とピストンリング３３５との間に隙間が発生して化粧料の排出通路が生じる。
【００８２】
その後、上下移動部材３３６を押し続けると、ピストンリング３３５が上下移動部材３３６に当接してピストン３３４と一緒に下方に移動してシリンダー３３１の内部体積が減少し、それにより、シリンダー３３１内に収容されていた化粧料がピストン３３４とピストンリング３３５との間から流出して、前記上下移動部材３３６の排出通路３３６ｄを通過した後、前記分配板３４の内容物排出経路３４２を介して排出板３６の排出孔３６１から排出される。
【００８３】
これと同時に、シリンダー３３１内の吐出圧力によって、吸入弁板３３２が、前記シリンダー３３１の底面に形成された内容物吸入孔３３８を閉鎖させる。
【００８４】
その後、前記リングボタン３５の加圧部３５１または排出板３６の加圧を解除すると、上下移動部材３３６を弾支する弾性部材３３７の弾性によって上下移動部材３３６が上方に移動し、前記上下移動部材３３６の下側に結合されているピストン３３４が上方に移動する。そのとき、前記ピストン３３４の下端外側に形成された拡張突輪３３４ａがピストンリング３３５を上方に引き上げることにより、ピストン３３４とピストンリング３３５との間の隙間が詰まりながら前記ピストン３３４とピストンリング３３５が共に上方に移動し、シリンダー３３１の内部体積が大きくなって真空圧が発生する。
【００８５】
前記シリンダー３３１の内部に発生した真空圧によって吸入弁板３３２の吸入弁翼３３２ａが持ち上げながら、シリンダー３３１の底面に形成された内容物吸入孔３３８が開放され、内容器３１の内部に収容されていた化粧料が前記内容物吸入孔３３８を介してシリンダー３３１の内部に流入すると同時に、前記内容器３１の内部に設置された押し板３１１が上部に移動する。
【００８６】
以上、本発明で説明したのは、組み立てが簡単なボタン部材を有するコンパクト容器を実施するための一つの実施形態に過ぎないものであり、本発明は、前記実施形態に限定されるものではない。添付された請求の範囲で請求するように、本発明の要旨を逸脱することなく当該発明の属する分野における通常の知識を有する者であれば誰でも様々な変更実施が可能な範囲まで本発明の範囲に属するものと看做されるべきである。
【符号の説明】
【００８７】
１０    容器本体
１１    ボタン部材装着溝
１２    ボタン部材支持台
１３    ガイド溝
１４    嵌合突起
２０    容器蓋体
３０    内容器部材
３１    内容器
３２    ポンプ支持台
３３    ポンプ
３４    分配板
３５    リングボタン
３６    排出板
４０    ボタン部材
４１    係止突起
４２    ボタン部材翼部
４４    嵌合溝
４６    外側下隅
５０    固定部材
【図１】
0006571860.tif 000002
【図２】
0006571860.tif 000003
【図３】
0006571860.tif 000004
【図４】
0006571860.tif 000005
【図５】
0006571860.tif 000006
【図６】
0006571860.tif 000007
【図７】
0006571860.tif 000008
【図８】
0006571860.tif 000009
【図９】
0006571860.tif 000010
【図１０】
0006571860.tif 000011
【図１１】
0006571860.tif 000012